(57)【要約】【課題】撮影条件を設定せずに異なる撮影条件での撮影が可能となる携帯機器を提供する。【解決手段】携帯電話機１０は、カメラ６と、カメラ６の画像と共にその一部に複数の撮影条件をそれぞれ示すメニュー（条件表示２２２）を表示する表示部２と、表示部２に表示されたメニュー（条件表示２２２）に応じた画像を取得するための複数のシャッターキー３と、シャッターキー３が押下されると当該メニューに応じた撮影条件で画像を取得するよう制御する撮影制御部とを有する。【選択図】図２
2008259181.tif 000002
【特許請求の範囲】
【請求項１】
カメラと、
前記カメラにより取得した画像と共にその一部に複数の撮影条件を示すメニューを表示する表示部と、
前記表示部に表示された前記メニューに応じた画像を取得するための複数のシャッターキーと、
前記シャッターキーが押下されると当該メニューに応じた撮影条件で画像を取得するよう制御する撮影制御部とを有する携帯機器。
【請求項２】
前記表示部に表示されるメニューは複数のモードのうち一のモードに応じたものであって、
前記モードを切替可能なモード変更キーを有し、
前記撮影制御部は、前記モード変更キーが押下されると当該モードが切り替わるよう制御する
ことを特徴とする請求項１記載の携帯機器。
【請求項３】
前記モードは、天気に応じて撮影条件を変更する天気モード又は室内又は屋外の光源に応じて撮影条件を変更する光源モードであって、
前記撮影制御部は、前記メニューに応じて光量を調整する
ことを特徴とする請求項２記載の携帯機器。
【請求項４】
前記モードは、被写体との距離に応じて撮影条件を変更する接写モードであって、
前記撮影制御部は、メニューに応じてレンズの焦点距離を調整する
ことを特徴とする請求項２記載の携帯機器。
【請求項５】
モード変更キーは、他の機能キーと兼用される
ことを特徴とする請求項１乃至４のいずれか１項記載の携帯機器。
【請求項６】
前記表示部に表示される表示メニューの表示態様を制御する表示制御部を有し、メニュー毎に表示態様を異ならせる
ことを特徴とする請求項１乃至５のいずれか１項記載の携帯機器。
【請求項７】
前記表示制御部は、前記シャッターキーを押下したとき前記表示部に表示される表示メニューのうち該当するメニューと、他のメニューとの表示態様を異ならせる
ことを特徴とする請求項６項記載の携帯機器。
【請求項８】
前記撮影制御部は、前記シャッターキー毎に異なるシャッター音を出力させる
ことを特徴とする請求項１乃至７のいずれか１項記載の携帯機器。
【請求項９】
光の強度及び／又はコントラストに応じて、一の前記モードに応じた複数の前記メニューの中から最適な一のメニューを選択する最適条件選択部を更に備えた
ことを特徴とする請求項２乃至８のうちいずれか１項記載の携帯機器。
【請求項１０】
前記表示制御部は、前記最適条件選択部によって選択された前記最適な一のメニューの表示態様を、他のメニューの表示態様と異ならせる
ことを特徴とする請求項９記載の携帯機器。
【請求項１１】
前記最適な一のメニューの表示態様は、点滅させて表示する、他のメニューと異なる色で表示する、及び他のメニューより大きく表示する表示形態のうち、少なくとも一の表示態様を含む
ことを特徴とする請求項１０記載の携帯機器。
【請求項１２】
前記光の強度及び／又はコントラストを検出する計測器を更に備えた
ことを特徴とする請求項９乃至１１のうちいずれか１項記載の携帯機器。
【請求項１３】
前記計測器は、露出計である
ことを特徴とする請求項１２記載の携帯機器。
【請求項１４】
前記露出計は、前記カメラに設けられている
ことを特徴とする請求項１３記載の携帯機器。
【発明の詳細な説明】
【技術分野】
【０００１】
本発明は、カメラ機能を有し周囲の画像を取得することができる例えば携帯電話機などに好適な携帯機器に関する。
【背景技術】
【０００２】
従来、携帯電話機による写真撮影は、予め撮影モードや条件を設定しておき、その後にシャッターを押下して撮影している。この場合、撮影モードを設定するために、例えば、表示画面の表示内容に対応付けてボタン類を配置させ、各ボタンの操作を画面の表示内容に対する操作とすれば、ボタン操作がしやすくなる（例えば特許文献１参照）ものの、デフォルト条件以外での撮影の場合は、機能メニューから撮影条件変更の設定を変更する必要がある。このため、この作業に手間取り、シャッターチャンスを逃してしまうこともあった。
【０００３】
そこで、例えば特許文献２には、カメラ撮影時には、シャッターキーとして指定されて用いることができる複数の操作キー部を有する携帯電話が開示されている。
【特許文献１】特開２０００−１１５３４５号公報
【特許文献２】特開２００４−２９７５５３号公報（段落００１８）
【発明の開示】
【発明が解決しようとする課題】
【０００４】
しかしながら、特許文献２に記載の携帯電話機においても、複数の操作キー全てをシャッターキーとして使用することができるものの、撮影条件は別途設定しなければならず、同じくシャッターチャンスを逃してしまうというような問題点がある。
【課題を解決するための手段】
【０００５】
本発明にかかる携帯機器は、カメラと、前記カメラにより取得した画像と共にその一部に複数の撮影条件を示すメニューを表示する表示部と、前記表示部に表示された前記メニューに応じた画像を取得するための複数のシャッターキーと、前記シャッターキーが押下されると当該メニューに応じた撮影条件で画像を取得するよう制御する撮影制御部とを有するものである。
【０００６】
本発明においては、表示部に撮影条件を示すメニューが表示され、そのメニューに応じた複数のシャッターキーが設けられており、撮影時には予め設定されている様々な撮影条件での撮影が可能となる。
【発明の効果】
【０００７】
本発明によれば、撮影条件を設定せずに異なる撮影条件での撮影が可能となる携帯機器を提供することができる。
【発明を実施するための最良の形態】
【０００８】
以下、本発明を適用した具体的な実施の形態について、図面を参照しながら詳細に説明する。この実施の形態は、本発明を、シャッターキーを複数備え、それぞれのシャッターキーに異なる撮影条件の設定にて撮影する機能を持たせたカメラ付き携帯電話機に適用したものである。
【０００９】
ここでいう撮影条件とは、例えば、「晴れ」、「薄曇」、「曇り」、「雨」、「雪」等の撮影時の天気模様や、白熱灯下、蛍光灯下、太陽下などの光源の違いを示す。このような撮影条件に対応するシャッターキーを設けることで、本実施の形態における携帯電話機では、晴天下では「晴れ」に対応したシャッターキーを押下し、曇天下では「曇り」に対応したシャッターキーを押下して撮影することが可能となる。
【００１０】
また、モード（天気、光源、等）を設定変更可能なモード変更キーを設け、そのキーを押下することによりモードを容易に変更することも可能とする。そして、複数のキーを撮影条件が異なるシャッターキーに割り振り、このキーに対応させてその内容を表示部の下部に表示する。撮影者は、撮影条件に合致したシャッターキーを押下することにより撮影を行う。この撮影条件に応じて携帯電話機が光量等を調節し、最適な撮影条件を自動的に設定してカメラ撮影することができる。
【００１１】
次に、本実施の形態について詳細に説明する。図１は、本発明の実施の形態にかかる携帯機器としての携帯電話機を示す図である。図１（ａ）は、折り畳み式携帯電話機を開いた内側の面を示し、図１（ｂ）は背面を示している。
【００１２】
図１（ａ）、図１（ｂ）に示すように、携帯電話機１０は、表示部２と、複数のシャッターキー３と、モード変更キー４と、その他の数字キーなどの複数の操作キー５と、カメラ６とが、筐体１に備えられている。表示部２は、カメラ６の画像と共にその一部に複数の撮影条件をそれぞれ示すメニューを表示する。シャッターキー３は、表示部２に表示されたメニューに応じた画像を取得するためのキーである。更に、携帯電話機１０は、後述するように、シャッターキー３が押下されると当該メニューに応じた撮影条件の画像を取得するよう制御する撮影制御部（後述する）を有している。
【００１３】
図２は、表示部２、シャッターキー３及びモード変更キー４の周辺を示す拡大図である。表示部２は、撮影画像表示領域２１とモード／条件表示部２２とからなり、モード／条件表示部２２には、モード表示２２１と条件表示２２２が表示される。
【００１４】
表示部２のモード表示２２１は、複数のモードのうち一のモードを表示する。条件表示２２２に表示されるメニューは複数のモードのうち一のモードに応じたものであって、モード変更キー４によりモードを切替可能となっている。撮影制御部は、モード変更キー４が押下されると当該モードが切り替わるよう制御する。モード変更キー４は撮影のモードを変更する機能を有し、キー押下によりモードを変更し、そのモードはモード表示２２１としてモード／条件表示部２２に表示される。また、本実施の形態においては、条件表示２２２に表示されたメニューの下側のキーがシャッターキー３として使用されるよう設定されている。ここでは、条件表示２２２として「晴れ」、「薄曇」、「曇り」の３つのメニューが表示され、これに応じて、シャッターキー３１、３２、３３が割り当てられている。
【００１５】
ここで、モードは、天気に応じて撮影条件を変更する天気モード又は室内又は屋外の光源に応じて撮影条件を変更する光源モードとすることができ、この場合、撮影制御部は、メニューに応じて光量を調整する。また、モードを被写体との距離に応じて撮影条件を変更する接写モードとした場合は、撮影制御部は、メニューに応じてレンズの焦点距離を調整するなどの処理を行なう。これらのシャッターキー３及び／又はモード変更キー４は、他の機能キーと兼用されてもよいことは勿論である。
【００１６】
図３は、本発明の実施の携帯にかかる主な機能を示すブロック図である。図３に示すように、本実施の形態にかかる携帯電話機１０は、記憶部３１１、制御部３１２、音声処理部３１３、無線部３１４、カメラ部３１５、表示部３１６、及び操作部３１７を有する。記憶部３１１は、ＲＯＭ（Read Only Memory）やＲＡＭ（Random Access Memory）などからなり、各種プログラムや、照度の基準値や文字サイズ、文字太さ、受信したメール、及びカメラ部３１５にて取得した画像を保存したりする。制御部３１２は、ＣＰＵ（Central Processing Unit）などからなり、ＲＯＭに記憶されているソフトウェアモジュールを構成する各種プログラム、又はＲＡＭにロードされたソフトウェアモジュールを構成する各種プログラムに従って各種の処理を実行する。ＲＡＭにはまた、ＣＰＵが各種の処理を実行する上において必要なデータなども適宜記憶される。
【００１７】
制御部３１２は、図４に示すように、撮影制御部３１２１及び表示制御部３１２２を備えている。撮影制御部３１２１は、前述のように、シャッターキー３が押下されると当該メニューに応じた撮影条件の画像を取得するようカメラ６を制御するものである。撮影制御部３１２１は、例えば、カメラ６のフィルム感度、シャッター速度及び絞り等を設定することにより、カメラ６の露出量を制御するよう構成することができる。表示制御部３１２２は、表示部３１６に表示させるメニューの内容や表示方法を制御するよう構成されている。
【００１８】
無線部３１４は、図示せぬインターネットを介しての通信処理を行ったり、制御部３１２から提供されたデータを送信したり、通信相手から受信したデータを制御部３１２、記憶部３１１に出力したりする。
【００１９】
音声処理部３１３は、入力された音声信号をその内部のＤ／Ａ変換回路にてアナログ信号に変換する。このアナログ信号は、受話器とサウンダ（不図示）を含む音声出力部に送られ、指定に従って受話器またはサウンダから音声信号として出力される。この場合、各撮影条件に応じて、シャッター音を変更したり、撮影条件を合成音声で出力したりするようにしてもよい。また、音声入力部に含まれるマイク（不図示）から入力された音声信号は、音声処理部３１３のＡ／Ｄ変換回路にてデジタル信号に変換され、システムバス３１９経由で制御部３１２に取り込まれ、符号回路で符号化される。次いで変復調部（不図示）で送信信号として変調され、無線部３１４に入力されたのち、アンテナ（不図示）から無線信号として無線基地局へ送信される。
【００２０】
操作部３１７は、シャッターキー３、モード変更キー４、数字キー他の操作キー５などを有する。各キーは押下されると、キーに割り当てられた機能を実行する。例えば、図２に示す例においては、モードは「天気」であり、シャッターキー３に対応して、晴れ、薄曇、曇りなどのメニューが条件表示２２２として表示されている。なお、メニューは３つに限らず、その他、雨、雪などを追加してもよいし、晴れと曇りのみであってもよい。メニューが多いほうがより天気に応じた撮影条件を設定することができる。また、メニューが少ない方が撮影条件の制御が簡単である。
【００２１】
また、モード変更キー４を押下すると図５又は図６のように表示部２のモード／条件表示部２２が切り替わる。図５に示す例においては、モードは、「光源」であり、シャッターキー３に対応して、例えば白熱、蛍光、太陽などのメニューが条件表示２２２として表示されている。この場合、撮影制御部３１２１（制御部３１２）は、撮影条件に応じて光量を調整すればよい。
【００２２】
図６に示す例においては、モードは、「接写」であり、シャッターキー３に対応して、メニューが条件表示２２２として例えば３０ｃｍ、１ｍ、５ｍなどの距離を指定できるようにしたものである。この場合、撮影制御部３１２１（制御部３１２）は、撮影条件に応じて、レンズの焦点距離を調整すればよい。
【００２３】
次に、図２に示す天気モードを例にとって、本実施の形態にかかる携帯電話機の操作方法について具体的に説明する。表示部２には、カメラから取り込まれた画像が撮影画像表示領域２１に表示され、モード／条件表示部２２のモード表示２２１に設定したモード「天気」が表示され、条件表示２２２に、晴れ、薄曇り、曇りのように表示される。
【００２４】
すなわち、天気モードに予め対応させてある撮影条件が条件表示２２２に表示される。この場合、シャッターキー３は、この条件に対応して、条件表示２２２の各表示に対応して割り振られ、それぞれの撮影条件でのシャッターとして機能する。
【００２５】
よって、撮影者は、晴天下での撮影であれば「晴れ」表示に対応したシャッターキーを押下し、薄曇り下や曇天下であればそれに対応したシャッターキーを押下して撮影すればよい。本実施の形態においては、シャッターキー３１〜３３には、その上部に表示されたメニュー（撮影条件）が対応するようになっている。なお、このシャッターキー３やモード変更キー４は、該当機能の専用である必要はなく、他機能と兼用でよい。
【００２６】
ここで、上述したように、本実施の形態にかかる携帯電話機１０は、モード変更キー４を有する。よって、このモード変更キー４を押下することにより、予め設定されている撮影モードを変更することが可能である。モード変更キー４の押下にてモードを変更すると、例えば、図５のように光源モードとなり、モード表示２２１に表示される。すると、このモードに対応したメニューが条件表示２２２に表示される。
【００２７】
この場合は、ここでのモード「光源」に対応した撮影条件を示すメニュー「白熱」、「蛍光」、「太陽」が表示され、それぞれの表示に対応したシャッターキー３は、それぞれの条件での撮影のシャッターとして動作する。よって、撮影者は、室内の白熱灯下での撮影であれば「白熱」表示に対応したシャッターキーを押下し、蛍光灯下（蛍光）や屋外（太陽）であればそれに対応したシャッターキーを押下して撮影すればよい。この場合、撮影制御部３１２１は、メニューに応じて光量を調整することになる。
【００２８】
また、モード変更キー４は、押下するごとに予め設定されている撮影モードを順次繰り返す。撮影モードを変更する場合は、モード変更キー４の押下により、手早く撮影モードを変更できるため、前記の撮影条件と同様にわざわざメニュー設定機能を呼び出さなくても撮影が可能になる。
【００２９】
更に別の例では、図６に示すように、接写モードとなり、「３０ｃｍ」、「１ｍ」、「５ｍ」など被写体との距離に応じてメニューをシャッターキー３で選択することができる。この場合、撮影制御部３１２１は、メニューに応じてレンズの焦点距離を制御することになる。
【００３０】
本実施の形態においては、従来、撮影モードや条件を設定するメニューにて設定を行った後にシャッターキーを押下して撮影していたが、わざわざメニュー設定機能を呼び出さなくても撮影が可能になる。また、瞬時に適切な撮影モード／条件での撮影が可能になり、シャッターチャンスを逃さない。
【００３１】
なお、本発明は上述した実施の形態のみに限定されるものではなく、本発明の要旨を逸脱しない範囲において種々の変更が可能であることは勿論である。例えば、各撮影条件に応じて、シャッター音を変更することも可能である。この場合、シャッター音は、撮影条件を合成音声で読み上げてもよい。また、シャッターキーを押下したとき、そのキーに対応する条件表示の表示形態を一定時間変更してもよい。例えば、「白熱」メニューに対応するシャッターキー３１を押下したシャッター時に「白熱」の文字の色を変えるなどすればよい。または、シャッター時に「白熱」表示を点滅させるなどしてもよい。さらには、撮影モードと条件の組み合わせをユーザーが任意作成することも可能である。この場合、よく使うモードとメニューを組み合せておくことも可能である。
【００３２】
続いて、本発明にかかる携帯機器の他の実施の形態について説明を行う。図７は、本発明の他の実施形態にかかる携帯機器の主な機能を示すブロック図である。図３との違いは、最適条件選択部３２０が設けられている点にある。最適条件選択部３２０は、測定された光の強度やコントラスト等に応じて、天気、光源、及び接写といったモードに予め設定された複数の撮影条件の中から、最適な一の撮影条件を選択するものである。具体的には、モードが「天気」である場合に、最適条件選択部３２０は、予め設定された複数の撮影条件「晴れ」、「薄曇」、「曇り」、「雨」、「雪」等の中から、光の強度やコントラスト等に応じて最適な一の撮影条件を自動的に選択する。
【００３３】
最適条件選択部３２０は、例えば、露出計（図示せず）によって測定される光の強度に基づき最適条件を判定するよう構成することができる。露出計は、太陽や電灯等の光源が被写体に当たって反射する光を計測したり、光源が被写体に当たる光を直接計測することにより、レンズを通して露光面に与える適正な光（露出）を計測するものであり、一般的にカメラ部３１５に設けられている。もちろん、最適条件を選択するために用いる露出計等の計測器をカメラ部３１５とは別に設けてもよい。また、最適条件選択部３２０は制御部３１２内に設けられていてもよい。
【００３４】
なお、最適条件選択部３２０によって撮影条件を選択させるか否かは、ユーザーがモード変更キー４等を操作することにより任意に設定できるよう構成することができる。以下、天気、光源、及び接写のそれぞれのモードにおいて、最適条件選択部３２０によって自動で最適条件を選択するモードを、天気（オートモード）、光源（オートモード）、接写（オートモード）として示す。
【００３５】
撮影制御部３１２１は、最適条件選択部３２０によって選択された撮影条件に対応するメニューが条件表示２２２に表示されているときには、最適条件選択部３２０によって選択された最適な撮影条件に対応するメニューを強調して表示する。例えば、最適と判断された撮影条件に対応するメニューだけを点滅させたり、他のメニューとは異なる色で表示したり、当該メニューを他のメニューより大きく表示する等の方法がある。また、これらの表示方法を組み合わせて、当該メニューを強調するよう構成してもよい。
【００３６】
図８は、本発明の他の実施形態にかかる携帯機器の表示部、シャッターキー及びモード変更キーの周辺を示す拡大図である。図８は、モードが天気（オートモード）に設定されているときの、携帯機器の表示部周辺を示している。モード表示２２１には、モードが天気（オートモード）に設定されていることを表示する「天気（オート）」という文字が表示されている。また、条件表示２２２には、撮影条件に対応するメニューである、「晴れ」、「薄曇」、「曇り」と示されたメニューが表示されている。最適条件選択部３２０は、予め設定された撮影条件である「晴れ」、「薄曇」、「曇り」、「雨」、「雪」等の中から、図示しない露出計等によって測定された光の強度に基づいて、最適な一の撮影条件を自動的に選択する。
【００３７】
ここで、最適条件選択部３２０によって、最適な撮影条件として「晴れ」が選択されたとする。表示制御部３１２２は、最適条件選択部３２０によって判定された撮影条件「晴れ」が、図８に示すように条件表示２２２に表示されているときは、最適条件選択部３２０によって判定された撮影条件に対応するメニュー「晴れ」を強調して表示する。例えば、最適と判断された撮影条件に対応するメニューだけを点滅させたり、他のメニューとは異なる色で表示したり、当該メニューを他のメニューより大きく表示する。
【００３８】
また、最適条件選択部３２０によって選択された撮影条件「晴れ」に対応するメニューが条件表示２２２に表示されていないときは、表示制御部３１２２は、それぞれの撮影条件に対応するメニューを強調しない状態で表示する。すなわち、最適条件選択部３２０によって選択された撮影条件に対応するメニュー以外のメニューは、通常の色や大きさで点滅させない状態で表示する。ユーザーは、他のメニューとは表示方法の異なる、強調されたメニューを見ることによって、最適な撮影条件に対応するメニューを瞬時に確認することができる。
【００３９】
このように、最適条件選択部３２０によって最適な撮影条件を選択し、表示制御部３１２２によって選択された撮影条件に対応するメニューを強調して条件表示２２２に表示させることにより、ユーザーが選択する撮影条件を迷っているような場合であっても、最適な撮影条件に対応するメニューが強調して表示されるため、ユーザーは最適な撮影条件を容易に知ることができ、簡単に最適な撮影条件を選択して写真を撮ることができる。
【００４０】
なお、本発明は、上記の実施形態に限定されるものではなく、種々設計変更を行うことができる。例えば、上記の実施形態においては、最適条件選択部３２０によって最適な撮影条件を自動的に選択するオートモードを設けることについて説明を行ったが、最適条件選択部３２０が自動的に最適な一の撮影条件を選択するオートモードと、最適条件選択部３２０が撮影条件を選択する処理をせず、ユーザーが任意に撮影条件を選択することができる通常のモードの両方を設け、ユーザーが通常のモードとオートモードを任意に選択することができるよう構成することもできる。また、最適条件選択部３２０が選択する最適条件は、必ず一つの撮影条件である必要はなく、最適条件選択部３２０によって複数の好ましい撮影条件を選択させ、条件表示２２２に選択された撮影条件に対応する一つ以上のメニューを強調して表示するよう構成してもよい。
【図面の簡単な説明】
【００４１】
【図１】本発明の実施の形態にかかる携帯機器としての携帯電話機を示す図であって（ａ）は、折り畳み式携帯電話機を開いた内側の面、（ｂ）は背面を示す図である。
【図２】表示部、シャッターキー及びモード変更キーの周辺を示す拡大図である。
【図３】本発明の実施の携帯機器にかかる主な機能を示すブロック図である。
【図４】本発明の実施の携帯機器にかかる制御部の構成を示すブロック図である。
【図５】表示部、シャッターキー及びモード変更キーの周辺を示す拡大図であって、他の例を示す図である。
【図６】表示部、シャッターキー及びモード変更キーの周辺を示す拡大図であって、さらに他の例を示す図である。
【図７】本発明の他の実施形態にかかる携帯機器の主な機能を示すブロック図である。
【図８】本発明にかかる他の実施形態に係る携帯機器の表示部、シャッターキー及びモード変更キーの周辺を示す拡大図である。
【符号の説明】
【００４２】
１    筐体
２  表示部
３、３１−３３  シャッターキー
４  モード変更キー
５  操作キー
６  カメラ
１０  携帯電話機
２１  撮影画像表示領域
２２  条件表示部
２２１  モード表示
２２２  条件表示
３１１  記憶部
３１２  制御部
３１３  音声処理部
３１４  無線部
３１５  カメラ部
３１６  表示部
３１７  操作部
３１９  システムバス
３２０  最適条件選択部
３１２１  撮影制御部
３１２２  表示制御部
【図１】
2008259181.tif 000003
【図２】
2008259181.tif 000004
【図３】
2008259181.tif 000005
【図４】
2008259181.tif 000006
【図５】
2008259181.tif 000007
【図６】
2008259181.tif 000008
【図７】
2008259181.tif 000009
【図８】
2008259181.tif 000010